(57)【要約】      （修正有）【課題】鼻孔内部に装着して汚染された空気（埃・塵・悪臭等）によって不快な思いをすることが無いようにするための、携帯性に優れ、しかも簡単に装着することができる鼻用フィルターを提供すること。【解決手段】略中心線２０、及び略六等分するように引いた線の中で右端に最も近い線３０と左端に最も近い線４０に折れ目５０を施したベースシート部６０と、略中心線２０と右端に最も近い線３０の間と、略中心線２０と左端に最も近い線４０の間に重ねるように設置した吸収部７０からなる鼻用フィルター１０とした。【選択図】図１
2018064679.tif 000002
【特許請求の範囲】
【請求項１】
鼻孔内部に挿入することにより装着する鼻用フィルターであって、
略中心線、及び略六等分するように引いた線の中で右端に最も近い線と左端に最も近い線に折れ目を施したベースシート部と、
前記略中心線と前記右端に最も近い線の間と、前記略中心線と前記左端に最も近い線の間に重ねるように設置した吸収部からなる鼻用フィルター。
【請求項２】
二枚の前記鼻用フィルターを、線材を介して接続したことを特徴とする請求項１に記載の鼻用フィルター。
【請求項３】
前記ベースシート部の素材は和紙であり、前記吸収部の素材は、塩化ビニール樹脂、ポリエチレン樹脂、ポリウレタン樹脂、アクリル樹脂、ポリエステル樹脂の中の一つ、又は二つ以上の組み合わせであることを特徴とする請求項１または請求項２に記載の鼻用フィルター。
【発明の詳細な説明】
【技術分野】
【０００１】
本発明は、鼻孔内部に装着して汚染された空気（埃・塵・悪臭等）によって不快な思いをすることが無いようにするための鼻用フィルターに関する。さらに言えば、携帯性に優れ、しかも簡単に装着することができる鼻用フィルターに関する。
【背景技術】
【０００２】
外出時においてトイレ（特に大便）を使用することがあるが、他人が用を足した直後の使用おいては、他人の大便の匂いが残っていることが多く、不快な思いをすることがある。通常は一刻を争う状態であるため、匂いを我慢して用を足すことになるが、他人の大便の匂いが気になって仕方のない人は、わざわざ消臭スプレーを持参し、トイレに入ると同時に消臭してから用を足すようなことも行われていた。
【０００３】
さらに、例えば他人の衣服等から排出される等して空間を漂っている埃・塵等も、通常の広い空間では殆ど問題にならないが、トイレの個室という狭く閉ざされた空間においては気になって仕方のない人もいる。そのため、人によっては、埃等が周囲を漂うことによる不快な思いを持ちつつ、トイレを使用しなければならないという現状もあり、良い解決策が望まれていた。
【０００４】
特許文献１には、「空気中の異物の吸引を抑制する鼻栓に関し、鼻から取り外す際に一部が鼻腔内に残ってしまうおそれがなく、息苦しさも軽減できる鼻栓を提案する（特許文献１：課題）」ことを課題として、左右の鼻腔内に挿入される一対の挿入部を有し、この一対の挿入部を、連結部を介して一体連結させており、挿入部は、表裏を貫通する複数の開孔を有する円板状の天壁と、天壁の縁部より垂下される周壁とからなり、天壁の表壁面及び裏壁面の少なくとも一方に、開孔を除いて粘着剤を設けることを特徴とする（特許文献１：解決課題から抜粋）鼻栓（特許文献１：発明の名称）が開示されている。
【先行技術文献】
【特許文献】
【０００５】
【特許文献１】特開２０１２−１７９１２６号公報
【発明の概要】
【発明が解決しようとする課題】
【０００６】
特許文献１に係る鼻栓は、鼻腔内に挿入されて、空気中に浮遊する埃や塵、花粉等の吸入を抑制する鼻栓に関するものである。確かに、空気中の異物の吸引を抑制することはできるが、左右の鼻腔内に挿入される一対の挿入部は、立体形状であるため必ず嵩張ることになるので、薄いシート状のものとの比較においては、外出時に携帯するのに不便であると言える。外出時に手軽に財布等の中に入れて携帯するのには厚さが殆ど無いシート形状の方が適していると言える。
【０００７】
本発明の目的は、鼻孔内部に装着して汚染された空気（埃・悪臭等）に対して不快な思いをすることが無く、携帯性に優れ、しかも簡単に装着することができる鼻用フィルターを提供することにある。
【課題を解決するための手段】
【０００８】
上記課題を解決するために、請求項１に記載された発明は、鼻孔内部に挿入することにより装着する鼻用フィルターであって、略中心線、及び略六等分するように引いた線の中で右端に最も近い線と左端に最も近い線に折れ目を施したベースシート部と、前記略中心線と前記右端に最も近い線の間と、前記略中心線と前記左端に最も近い線の間に重ねるように設置した吸収部からなる鼻用フィルターであることを特徴とするものである。
【０００９】
請求項２に記載された発明は、請求項１において、二枚の前記鼻用フィルターを、線材を介して接続した鼻用フィルターであることを特徴とするものである。
【００１０】
請求項３に記載された発明は、請求項１または請求項２において、前記ベースシート部の素材は和紙であり、前記吸収部材の素材は、塩化ビニール樹脂、ポリエチレン樹脂、ポリウレタン樹脂、アクリル樹脂、ポリエステル樹脂の中の一つ、又は二つ以上の組み合わせである鼻用フィルターであることを特徴とするものである。
【発明の効果】
【００１１】
請求項１に記載の鼻用フィルターは、ベースシート部とベースシート部の一部分にベースシート部とは素材の異なる吸収部を重ねることにより構成されている。吸収部はベースシート部の略中心線と右端に最も近い線の間と、略中心線と前記左端に最も近い線の間に重ねるように設置されている。そして、ベースシート部の略中心線、及び略六等分するように引いた線の中で右端に最も近い線と左端に最も近い線に折れ目を施している。このような構成であるので、本発明に係る鼻用フィルターは、携帯時においては、薄いシート状であり、複数の鼻用フィルターを重ねておいて、例えば、財布の中に入れて持ち運ぶことができるし、使用する際は、折れ目に沿って折り曲げるだけであるので、極めて簡単に使用できる状態にすることができる。
【００１２】
請求項２に記載の鼻用フィルターは、二枚の前記鼻用フィルターを、線材を介して接続しているので、２つの鼻用フィルターを、接続した状態で両方の鼻の孔に挿入することができるため、取り外し時においては、ただ単に線材を手で持って引っ張りだすだけであることより取り扱いやすい。
【００１３】
請求項３に記載の鼻用フィルターは、ベースシート部の素材は和紙であり、塩化ビニール樹脂、ポリエチレン樹脂、ポリウレタン樹脂、アクリル樹脂、ポリエステル樹脂の中の一つ、又は二つ以上の組み合わせであるので、プラスに帯電し易い和紙と、マイナスに帯電し易い塩化ビニール樹脂、ポリエチレン樹脂、ポリウレタン樹脂、アクリル樹脂、ポリエステル樹脂を組み合わせることで静電気が発生し易く、静電気の作用により埃等を吸着することができる。さらにベースシート部として和紙を使用することで、素材としては柔らかいので使用時において鼻の孔の粘膜等を傷つけることが無い。さらに、和紙であれば使用者の好むような香りを染み込ませることもできる。
【図面の簡単な説明】
【００１４】
【図１】本実施例に係る鼻用フィルターの使用前（携帯時）における形態を示す全体図である。
【図２】鼻用フィルターの使用時における形態を示す全体上面図である。
【図３】鼻用フィルターの使用方法を説明するための図である。
【図４】変更例に係る鼻用フィルターの使用前（携帯時）における形態を示す全体図である。
【発明を実施するための形態】
【００１５】
＜鼻用フィルターの構造、及び素材＞
以下、本発明に係る鼻用フィルター１０の一実施形態について、図１〜図３に基づいて詳細に説明する。図１は、本実施例に係る鼻用フィルター１０の使用前（携帯時）における形態を示す全体図である。
【００１６】
図１に記載したように、本発明に係る鼻用フィルター１０は、ベースシート部６０と吸収部７０から構成されている。即ち、ベースシート部６０の一部にベースシート部６０とは素材の異なる（帯電列において列が離れている素材）シート状の吸収部７０を重ねることにより構成されている。尚、本明細書において帯電列とは、「−＜硫黄＜天然ゴム＜エポキシ樹脂＜ポリスチレン＜綿＜羊毛＜岩塩＜ガラス＜シリコン＜＋」のことで、大昔から実験結果によって帯電列が判明していて、この列の離れている物同士を擦り合わせるとより強い静電気が発生することが知られている。
【００１７】
ベースシート部６０の略中心線２０、及び略六等分するように引いた線の中で右端に最も近い線３０と左端に最も近い線４０に折れ目５０（全部で３か所）を施している。吸収部７０は、ベースシート部６０の略中心線２０と右端に最も近い線３０の間と、略中心線２０と左端に最も近い線４０の間の位置に、重なるように左右対称に設置されている。
【００１８】
ベースシート部６０の素材は和紙であり、吸収部７０の素材は、塩化ビニール樹脂、ポリエチレン樹脂、ポリウレタン樹脂、アクリル樹脂、ポリエステル樹脂の中の一つ、又は二つ以上の組み合わせになっている。
【００１９】
図２は、本実施例に係る鼻用フィルター１０の使用時における形態を示す全体上面図である。本実施例に係る鼻用フィルター１０は、ベースシート部６０の略中心線、及び略六等分するように引いた線の中で右端に最も近い線と左端に最も近い線に折れ目５０（全部で３か所）が施されているので、折れ目５０に沿って折り曲げることで、図２（ａ）に記載したように使用状態にすることができる。さらに、切れ目を利用して、図２（ｂ）に記載したように、鼻の孔の大小によって調整することもできる。そして、図２（ｃ）に記載したように、二つの鼻用フィルター１０を、線材８０を介して接続しているので、鼻用フィルター１０を、接続した状態で両方の鼻の孔に入れることができる。
【００２０】
＜鼻用フィルターの使用方法＞
図３は、本実施例に係る鼻用フィルター１０の使用方法を説明するための図である。図３に記載したように、本実施例に係る鼻用フィルター１０の使用方法は極めて簡単であって、ただ単に鼻用フィルター１０を鼻の孔に挿入することにより装着することができる。尚、本発明に係る鼻用フィルター１０は、一度きりの使用を想定しており、いわゆる使い捨て専用の鼻用フィルター１０である。
【００２１】
＜鼻用フィルターの効果＞
本実施例に係る鼻用フィルター１０は、ベースシート部６０とベースシート部６０の一部にベースシート部６０とは素材の異なる吸収部７０を重ねることにより構成されている。そして、ベースシート部６０の略中心線２０、及び略六等分するように引いた線の中で右端に最も近い線３０と左端に最も近い線４０に折れ目５０を施している。略中心線２０と右端に最も近い線３０の間と、略中心線２０と左端に最も近い線４０の間に重ねるように設置した吸収部７０が設置されている。
【００２２】
本実施例に係る鼻用フィルター１０は、使用する前（携帯時）においては、薄いシート状になっており、特に、外出時における利便性を考慮している。即ち、複数の鼻用フィルター１０を重ねた状態にしておいて、例えば、財布の中に入れて持ち運ぶことができるし、使用する際は、折れ目５０に沿って折り曲げるだけであるので、極めて簡単に使用できる状態にすることができる。
【００２３】
本実施例に係る鼻用フィルター１０は、二枚の鼻用フィルター１０を、線材８０を介して接続しているので、鼻用フィルター１０を、接続した状態で両方の鼻の孔に入れることができるため、取り外し時においては、ただ単に線材を手で持って引っ張りだすだけであることより取り扱い易い。
【００２４】
鼻用フィルター１０のベースシート部６０の素材は和紙であり、吸収部７０の素材は、塩化ビニール樹脂、ポリエチレン樹脂、ポリウレタン樹脂、アクリル樹脂、ポリエステル樹脂の中の一つ、又は二つ以上の組み合わせであるので、プラスに帯電し易い和紙とマイナスに帯電し易い塩化ビニール樹脂、ポリエチレン樹脂、ポリウレタン樹脂、アクリル樹脂、ポリエステル樹脂を組み合わせることで静電気が発生し易く、静電気により埃を吸着することができる。
【００２５】
一般的にフィルムを重ねて（接触）、摩擦し（圧力）、引き離す（剥離）と静電気が起こることが知られている。即ち、二つの素材が密着すると負に帯電した電子（特に核から一番遠い軌道上の電子）は両方の素材の分子から分子へ自由に移動する。そして、接触した一つの素材を引き離すと、一方の素材は電子を得て負に帯電し、片方は電子を失い正に帯電する。この時に静電気が発生することが知られている。
【００２６】
本発明においては、かかる現象が起こりやすくなるように工夫がなされている。即ち、携帯時において、複数枚の鼻用フィルター１０を重ねて（接触）財布の中等に入れて所持し、持ち歩く際の振動により摩擦し（圧力）、使用する際に引き離す（剥離）ことで、使用者は特に何もすることなく、鼻用フィルター１０に静電気が発生するようになっている。さらに摩擦による静電気の発生を推進するために、使用する際、鼻用フィルター１０を折り曲げる前に、ベースシート部６０と吸収部７０を軽く擦り合わせても良い。
【００２７】
さらにベースシート部６０として和紙を使用することで、素材としては柔らかいので使用時において鼻の孔の粘膜等を傷つけることが無いし、和紙であれば使用者の好むような香りを染み込ませることもできる。
【００２８】
＜鼻用フィルターの変更例＞
本発明に係る鼻用フィルター１０は、上記した各実施形態の態様に何ら限定されるものではなく、折れ目、ベースシート部、吸収部、線材の構成を、本発明の趣旨を逸脱しない範囲で、必要に応じて適宜変更することができる。
【００２９】
図４は変更例に係る鼻用フィルターの使用前（携帯時）における形態を示す全体図である。図４に記載したように吸収部７０はシート形状で無くても良く、図４の側面図に記載したように、複数の線状材をベースシート部３０の上に任意の間隔を置いて立設することで、使用する際、実際に鼻用フィルター１０を折り曲げると、まるでベースシート部３０の内側に鼻毛が生えているような構成にすることもできる。
【産業上の利用可能性】
【００３０】
本発明に係る鼻用フィルターは、上記の如く優れた効果を奏するものであるので、鼻孔内部に装着して汚染された空気（埃・塵・悪臭等）によって不快な思いをすることが無いようにするための鼻用フィルターとして好適に用いることができる。
【符号の説明】
【００３１】
１０・・鼻用フィルター
２０・・略中心線
３０・・右端に最も近い線
４０・・左端に最も近い線
５０・・折れ目
６０・・ベースシート部
７０・・吸収部
８０・・線材
【図１】
2018064679.tif 000003
【図２】
2018064679.tif 000004
【図３】
2018064679.tif 000005
【図４】
2018064679.tif 000006